(57)【特許請求の範囲】
【請求項１】
本体と、
略鉛直に配置される鉛直部材にスライド可能に取付けられると共に前記本体の上方側端部に回動可能に取付けられ、さらに前記鉛直部材に沿った略鉛直下方へのスライドに与える抵抗力よりも小さい抵抗力を、前記鉛直部材に沿った略鉛直上方へのスライドに与えるスライド用ダンパー部を有する接続体とを備える
配置物。
【請求項２】
前記本体の下方側端部に取付けられた回転体を備える
請求項１に記載の配置物。
【請求項３】
前記回転体は、前記本体の前記下方側端部が前記鉛直部材から遠ざかる方向へ移動するときの回転に与える抵抗力よりも小さい抵抗力を、前記本体の前記下方側端部が前記鉛直部材に近づく方向へ移動するときの回転に与える回転用ダンパー部を有する
請求項２に記載の配置物。
【請求項４】
所定の力が前記本体に加えられた場合に前記鉛直部材から遠ざかる方向への前記回転体の回転を開始させる制御部材を備える
請求項２または請求項３に記載の配置物。
【請求項５】
前記鉛直部材に沿って配置されると共に、前記鉛直部材の少なくとも一部と前記接続体の一部とを囲む空間を形成するガイド部材を備える
請求項１〜４のいずれか１つに記載の配置物。
【請求項６】
前記本体の側面に沿って配置されると共に前記本体を収容する空間を形成する側壁部材を備える
請求項１〜４のいずれか１つに記載の配置物。
【請求項７】
本体と、
略鉛直に配置された鉛直部材と、
該鉛直部材にスライド可能に取付けられると共に前記本体の上方側端部に回動可能に取付けられ、さらに前記鉛直部材に沿った略鉛直下方へのスライドに与える抵抗力よりも小さい抵抗力を、前記鉛直部材に沿った略鉛直上方へのスライドに与えるスライド用ダンパー部を有する接続体とを備える
配置物。
【請求項８】
本体と、
該本体の下方側端部に取付けられると共に、前記本体の前記下方側端部が第１の水平方向へ移動するときの運動に与える抵抗力よりも小さい抵抗力を、前記本体の前記下方側端部が前記第１の水平方向とは反対方向である第２の水平方向へ移動するときの運動に与えるダンパー部を有する支持体とを備える
配置物。
【請求項９】
所定の力が前記本体に加えられた場合に前記第１の水平方向への前記本体の前記下方側端部の移動を開始させる制御部材を備える
請求項８に記載の配置物。
【請求項１０】
本体と、
該本体が倒れる方向への同本体の運動に与える抵抗力よりも小さい抵抗力を、同本体が起き上がる方向への同本体の運動に与えるダンパー部とを備える
配置物。
【請求項１１】
略鉛直に配置される鉛直部材にスライド可能に取付けられると共に所定の本体の上方側端部に回動可能に取付けられ、さらに前記鉛直部材に沿った略鉛直下方へのスライドに与える抵抗力よりも小さい抵抗力を、前記鉛直部材に沿った略鉛直上方へのスライドに与えるダンパー部を備える
接続体。
【発明の詳細な説明】
【技術分野】
【０００１】
本発明は配置物および接続体に関する。詳しくは、地震の振動で揺れたときに積極的に転倒する配置物、および家具などに取付けられて地震の振動で揺れたときに家具などを積極的に転倒するようにする接続体に係るものである。
【背景技術】
【０００２】
地震が発生すると、一般家屋の家具や、店舗の陳列棚などは大きく揺さぶられ、家具が転倒したり、陳列棚の商品が床に散乱したりしてしまう。
【０００３】
特に、家具が転倒すると、人が、転倒した家屋の下敷きになったり、転倒して家具が壊れたりしてしまい、損害が大きい。
【０００４】
そこで、従来、家具の転倒防止に関する様々な技術が提案されている。例えば、特許文献１には、図８に示すような転倒防止家具が記載されている。
【０００５】
すなわち、特許文献１には、個々に独立した複数の収納部である収納箱１１１Ａ〜１１１Ｆを室内の床面から段積みした家具本体１１２と、この家具本体１１２の内部を通過して、床面と家具本体１１２の上方に位置する天井面との間に立てられた支持棒１１３とから構成された転倒防止家具１１０Ａが記載されている。
【０００６】
また、各収納箱１１１は、対向する天板１１１ａおよび底板１１１ｂと、対向する両側板と、背面板とをボックス状に組み立てて構成され、背面板に対向する前面側が開放している。また、収納箱１１１Ａ〜１１１Ｆは、非連結状態でかつ相互にスライド可能に積み重ねられている。
【０００７】
このような構成により、地震時に家具本体１１２が揺れた際に、各収納部は、それが積み重ねられている下段の収納箱に対して往復動することにより家具本体の上部へ及ぶ揺れが吸収され、家具本体上部への揺れの波及を阻止することができ、家具本体の転倒を防止できる。
【先行技術文献】
【特許文献】
【０００８】
【特許文献１】特開２０１０−１１５３２６号公報
【発明の概要】
【発明が解決しようとする課題】
【０００９】
しかしながら、地震のエネルギーは計り知れず、想定以上の揺れが発生した場合には、転倒を防ぎきれないという懸念がある。
【００１０】
そこで、本発明の発明者は、地震発生時に家具などの転倒を防止して、地震による被害を最小限に抑えようとするのではなく、発想を１８０度転換して、地震発生時に家具などを積極的に転倒させて、地震による被害を最小限に抑えようと考え、本発明を完成するに至った。
【００１１】
本発明は、以上の点に鑑みて創案されたものであり、地震による被害を最小限に抑えることができる配置物、およびこのような配置物を実現させる接続体を提供することを目的とする。
【課題を解決するための手段】
【００１２】
上記の目的を達成するために、本発明の配置物は、本体と、略鉛直に配置される鉛直部材にスライド可能に取付けられると共に前記本体の上方側端部に回動可能に取付けられ、さらに前記鉛直部材に沿った略鉛直下方へのスライドに与える抵抗力よりも小さい抵抗力を、前記鉛直部材に沿った略鉛直上方へのスライドに与えるスライド用ダンパー部を有する接続体とを備える。
【００１３】
また、上記の目的を達成するために、本発明の配置物は、本体と、略鉛直に配置された鉛直部材と、該鉛直部材にスライド可能に取付けられると共に前記本体の上方側端部に回動可能に取付けられ、さらに前記鉛直部材に沿った略鉛直下方へのスライドに与える抵抗力よりも小さい抵抗力を、前記鉛直部材に沿った略鉛直上方へのスライドに与えるスライド用ダンパー部を有する接続体とを備える。
【００１４】
ここで、略鉛直に配置される鉛直部材にスライド可能に取付けられると共に本体の上方側端部に回動可能に取付けられ、さらに鉛直部材に沿った略鉛直下方へのスライドに与える抵抗力よりも小さい抵抗力を、鉛直部材に沿った略鉛直上方へのスライドに与えるスライド用ダンパー部を有する接続体によって、本体が傾いても本体の上方側端部に回動可能に取付けられた接続体が回動して鉛直部材との接続を維持することができる。
【００１５】
また、スライド用ダンパー部が、鉛直部材に沿った略鉛直下方へのスライドに与える抵抗力よりも小さい抵抗力を鉛直部材に沿った略鉛直上方へのスライドに与えることによって、本体の上方側端部はスライド用ダンパー部の抵抗力により略鉛直下方にゆっくりとスライドする、すなわち本体は一定方向にゆっくりと倒れることができると共に、大きな力を要さず本体の上方側端部は略鉛直上方へスライドする、すなわち大きな力を要さず本体を起こすことができる。
【００１６】
また、本発明の配置物は、本体の下方側端部に取付けられた回転体を備える場合、回転体によって本体の下方側端部が水平方向に移動しやすくなるので、本体を倒したり、起こしたりしやすくなる。
【００１７】
また、本発明の配置物において、回転体は、本体の下方側端部が鉛直部材から遠ざかる方向へ移動するときの回転に与える抵抗力よりも小さい抵抗力を、本体の下方側端部が鉛直部材に近づく方向へ移動するときの回転に与える回転用ダンパー部を有するものとすることができる。
【００１８】
この場合、本体の下方側端部は回転用ダンパー部の抵抗力により鉛直部材から遠ざかる方向へゆっくり移動する、すなわち本体は一定方向にさらにゆっくりと倒れることができると共に、大きな力を要さず本体の下方側端部は鉛直部材に近づく方向へ移動する、すなわち大きな力を要さず本体を起こすことができる。
【００１９】
また、本発明の配置物は、所定の力が本体に加えられた場合に鉛直部材から遠ざかる方向への回転体の回転を開始させる制御部材を備えるものとすることができる。
【００２０】
ここで、「所定の力」とは、使用者が配置物を使用する時に本体に加える力よりも大きな力を意味しており、例えば地震の振動によって加えられる力を意味する。
この場合、例えば本体が本棚であり、使用者が本の出し入れなどで本体に力を加えても回転体は回転しないので日常生活に支障はなく、一方、地震発生時には、本体はゆっくりと倒れることができる。
【００２１】
また、本発明の配置物は、鉛直部材に沿って配置されると共に、鉛直部材の少なくとも一部と接続体の一部とを囲む空間を形成するガイド部材を備える場合、本体に対して側面から力が加えられてその結果、接続体に横から力が加えられた状態になっても、接続体が鉛直部材から外れにくい。
【００２２】
また、本発明の配置物は、本体の側面に沿って配置されると共に本体を収容する空間を形成する側壁部材を備える場合、本体の側面に対して直接、力が加えられにくくなると共に、本体が側面方向に倒れることを抑制できる。
【００２３】
さらに、上記の目的を達成するために、本発明の配置物は、本体と、該本体の下方側端部に取付けられると共に、前記本体の前記下方側端部が第１の水平方向へ移動するときの運動に与える抵抗力よりも小さい抵抗力を、前記本体の前記下方側端部が前記第１の水平方向とは反対方向である第２の水平方向へ移動するときの運動に与えるダンパー部を有する支持体とを備える。
【００２４】
ここで、本体の下方側端部に取付けられると共に、本体の下方側端部が第１の水平方向へ移動するときの運動に与える抵抗力よりも小さい抵抗力を、本体の下方側端部が第１の水平方向とは反対方向である第２の水平方向へ移動するときの運動に与えるダンパー部を有する支持体によって、第１の水平方向すなわち本体が倒れるときに下方側端部が移動する方向へは、ゆっくりと本体が倒れながら本体の下方側端部が移動できると共に、第２の水平方向すなわち本体が起き上がるときに下方側端部が移動する方向へは、大きな力を要さず本体を起こすことができる。
【００２５】
また、本発明の配置物は、所定の力が本体に加えられた場合に第１の水平方向への本体の下方側端部の移動を開始させる制御部材を備えるものとすることができる。
ここで、「所定の力」とは、使用者が配置物を使用する時に本体に加える力よりも大きな力を意味しており、例えば地震の振動によって加えられる力を意味する。
【００２６】
この場合、例えば本体が本棚であり、使用者が本の出し入れなどで本体に力を加えても第１の水平方向へ本体の下方側端部は移動しないので日常生活に支障はなく、一方、地震発生時には、本体はゆっくりと倒れることができる。
【００２７】
また、上記の目的を達成するために、本発明の配置物は、本体と、該本体が倒れる方向への同本体の運動に与える抵抗力よりも小さい抵抗力を、同本体が起き上がる方向への同本体の運動に与えるダンパー部とを備える。
【００２８】
ここで、本体が倒れる方向への本体の運動に与える抵抗力よりも小さい抵抗力を、本体が起き上がる方向への本体の運動に与えるダンパー部によって、本体はゆっくりと倒れることができると共に、大きな力を要さず本体を起こすことができる。
【００２９】
また、上記の目的を達成するために、本発明の接続体は、略鉛直に配置される鉛直部材にスライド可能に取付けられると共に所定の本体の上方側端部に回動可能に取付けられ、さらに前記鉛直部材に沿った略鉛直下方へのスライドに与える抵抗力よりも小さい抵抗力を、前記鉛直部材に沿った略鉛直上方へのスライドに与えるダンパー部を備える。
【００３０】
ここで、鉛直部材に沿った略鉛直下方へのスライドに与える抵抗力よりも小さい抵抗力を、鉛直部材に沿った略鉛直上方へのスライドに与えるダンパー部によって、接続体が取付けられた所定の本体の上方側端部はダンパー部の抵抗力により略鉛直下方にゆっくりとスライドする、すなわち本体は一定方向にゆっくりと倒れることができると共に、大きな力を要さず、接続体が取付けられた所定の本体の上方側端部は略鉛直上方へスライドする、すなわち大きな力を要さず本体を起こすことができる。
【００３１】
また、ここでいう「所定の本体」とは、例えば家具や家電製品という配置される物を示す。
【発明の効果】
【００３２】
本発明に係る配置物は、地震による被害を最小限に抑えることができる。
本発明に係る接続体は、地震による被害を最小限に抑えることができる配置物を実現させることができる。
【図面の簡単な説明】
【００３３】
【図１】本発明を適用した配置物の一例を示す概略図である。
【図２】本発明を適用した配置物が倒れる様子を説明する概略図である。
【図３】本発明を適用した配置物が倒れるときの本体と接続体の動きを説明する概略図である。
【図４】本発明を適用した配置物が備える接続体が鉛直部材に取付けられた状態の一例を示す概略斜視図（ａ）と概略平面図（ｂ）である。
【図５】本発明を適用した配置物が備える接続体が鉛直部材に取付けられた状態の他の例を示す概略斜視図（ａ）と概略平面図（ｂ）である。
【図６】本発明を適用した配置物が備える後輪が制御台に載せられた状態を示す概略正面図（ａ）と概略側面図（ｂ）である。
【図７】本発明を適用した配置物が店舗の陳列棚に配置された例を示す概略図である。
【図８】従来の転倒防止家具を示す概略図である。
【発明を実施するための形態】
【００３４】
以下、本発明の実施の形態について図面を参照しながら説明し、本発明の理解に供する。
図１は、本発明を適用した配置物の一例を示す概略図である。図２は、本発明を適用した配置物が倒れる様子を説明する概略図である。
【００３５】
図１に示す配置物１は、本体２を備える。
ここで、本体２は、天板２Ａと、天板２Ａに対し略平行に配置された棚板２Ｆと、棚板２Ｆに対し略平行に配置された底板２Ｃと、天板２Ａ、棚板２Ｆおよび底板２Ｃに対して略垂直に取付けられた背面板２Ｂと、天板２Ａ、棚板２Ｆ、底板２Ｃおよび背面板２Ｂに対して略垂直に取付けられた左側板２Ｄと、天板２Ａ、棚板２Ｆ、底板２Ｃおよび背面板２Ｂに対して略垂直に取付けられた右側板２Ｅとを有する。
【００３６】
また、背面板２Ｂと対向する前面側は開放しており、底板２Ｃや棚板２Ｆに物品を置いて、本体２内に収容することができる。
【００３７】
また、ここで示す配置物１は、略鉛直に配置された鉛直部材６にスライド可能に取付けられると共に本体２の上方側端部に回動可能に取付けられ、さらに鉛直部材６に沿った略鉛直下方へのスライドに与える抵抗力よりも小さい抵抗力を、鉛直部材６に沿った略鉛直上方へのスライドに与えるスライド用ダンパー部（図示せず。）を有する接続体３を備える。
【００３８】
また、鉛直部材６は、壁８に２つ取付けられており、これに対応して接続体３も、本体２の上方側端部のうち左側板２Ｄ付近と右側板２Ｅ付近にそれぞれ取付けられている。
【００３９】
また、ここで示す配置物１は、本体２の側面（左側板２Ｄと右側板２Ｅ）に沿って配置されると共に本体２を収容する空間を形成する側壁部材７を備える。なお、図では、一方の側壁部材すなわち本体２の右側板２Ｅに沿って配置された側壁部材のみを図示しており、本体２の左側板２Ｄに沿って配置された側壁部材を省略している。
【００４０】
また、本体２の下方側端部すなわち、左側板２Ｄの下部と右側板２Ｅの下部にそれぞれ前輪（回転体の一例である。）４および後輪（回転体または支持体の一例である。）５が取付けられている。
【００４１】
また、図２は、本体２の左側板２Ｄから見た図であるが、図２に示すように、本発明の配置物の本体２が倒れるとき、後輪５は常に床面に接して水平方向へ移動しており、前輪４は床面から離れる。
【００４２】
また、後輪５は、本体２の下方側端部が鉛直部材６から遠ざかる方向（第１の水平方向＝倒れる方向９）へ移動するときの後輪５の回転に与える抵抗力よりも小さい抵抗力を、本体２の下方側端部が鉛直部材に近づく方向（第２の水平方向＝起き上がる方向１０）へ移動するときの後輪５の回転に与える回転用ダンパー部（図示せず。）を有する。
【００４３】
図３は、本発明を適用した配置物が倒れるときの本体と接続体の動きを説明する概略図である。
図３（ａ）は、本体２が立った状態を示しており、図３（ｂ）は、本体２が床面に対して４５度傾いた状態を示しており、図３（ｃ）は、本体２が倒れた状態を示している。
【００４４】
図３（ａ）〜（ｂ）に示すように、接続体３は、ロータリーダンパー（スライド用ダンパー部の一例である。）１２を有する。
ロータリーダンパー１２は、表面に複数の歯１２Ａを有しており、鉛直部材６の表面に設けられたラック１１と噛み合う。
【００４５】
また、接続体３は、回動軸部１３を介して本体２と接続されている。
【００４６】
また、図３（ｃ）に示すように、本体２が倒れても、接続体３があるので本体２の背面板２Ｂは床面から離れている。これにより、床面と本体２との間に人体もしくは人体の一部が挟まれにくい。
【００４７】
図４は、本発明を適用した配置物が備える接続体が鉛直部材に取付けられた状態の一例を示す概略斜視図（ａ）と概略平面図（ｂ）である。
【００４８】
図４（ｂ）に示すように、壁８に取付けられた鉛直部材６はＴ字形状を有しており、接続体３のＬ字形アーム３Ａが、この鉛直部材６に嵌合して、接続体３が鉛直部材６に取付けられている。なお、図４（ａ）では壁を省略している。
【００４９】
図５は、本発明を適用した配置物が備える接続体が鉛直部材に取付けられた状態の他の例を示す概略斜視図（ａ）と概略平面図（ｂ）である。
【００５０】
図５（ｂ）に示すように、接続体３はＬ字形アーム３Ａを有する代わりにＴ字形状を有する。また、ガイド部材１４が、鉛直部材６や接続体３に沿って配置されて、鉛直部材６と、接続体３の一部とを囲む空間を形成する。なお、図５（ａ）では壁を省略している。
【００５１】
図６は、本発明を適用した配置物が備える後輪が制御台に載せられた状態を示す概略正面図（ａ）と概略側面図（ｂ）である。
図６（ａ）および図６（ｂ）に示すように、後輪５は、ディスクダンパー（回転用ダンパー部の一例である。）１６と、ディスクダンパー１６の略中心部に軸部１７Ａを挿通してディスクダンパー１６に取付けられた中実タイヤ１７を有する。
【００５２】
また、ディスクダンパー１６は回転用ダンパー部の一例であり、本体２の下方側端部が鉛直部材６から遠ざかる方向へ移動するときの後輪５の回転に与える抵抗力よりも小さい抵抗力を、本体２の下方側端部が鉛直部材に近づく方向へ移動するときの回転に与える。
【００５３】
また、本発明を適用した配置物が備える制御台（制御部材の一例である。）１５は、所定の力が本体２に加えられた場合に鉛直部材６から遠ざかる方向への後輪５の回転を開始させるものである。
【００５４】
ここで制御台１５は、後輪５を載せることができるように、後輪５の曲率とほぼ同じ曲率を有する円弧状の溝１５Ａを有している。
また、溝１５Ａの縁のうち、前輪に近い側の縁の床面からの高さは、鉛直部材に近い側の縁の床面からの高さよりも低い。
【００５５】
その結果、制御台１５に載せられた後輪５は、後方（鉛直部材へ近づく方向）よりも前方（鉛直部材から遠ざかる方向）へ回転しやすい状態になっている。
【００５６】
そして、本などの物品を本体２に入れたり出したりするなど、通常の本体使用時に本体に加えられる力では、後輪５は、溝１５Ａの前輪側の縁を越えられず、鉛直部材６から遠ざかる方向への後輪５の回転を開始できないが、地震の振動によって本体２に力が加えられると、後輪５は溝１５Ａの前輪側の縁を越えて、鉛直部材６から遠ざかる方向へ回転していく。
【００５７】
また、制御部材としては他にも例えば、鉛直方向に延びる平板部材と、水平方向に延びる平板部材とを備えるＬ字形状の器具が挙げられる。
すなわち、水平方向に延びる平板部材上に後輪を載せておき、鉛直方向に延びる平板部材は、通常の本体使用時に本体に力が加えられて動く後輪によって倒されないが、地震の振動によって加えられる力で動く後輪によって倒されるよう構成されており、倒された鉛直方向に延びる平板部材上を後輪が回転していく。
【００５８】
また、制御部材としては他にも例えば、円弧状の溝ではなく谷形状の凹部を有する制御台や、後輪の前方にのみ設置される所定の高さを有する部材が挙げられる。なお、「所定の高さ」とは、後輪が、通常の本体使用時に本体に加えられる力では越えられないが、地震の振動によって本体に力が加えられると越えられる程度の高さをいう。
【００５９】
図７は、本発明を適用した配置物が店舗の陳列棚に配置された例を示す概略図であり、図７（ａ）は本体２が立った状態を示しており、図７（ｂ）は本体２が背面側に倒れる状態を示している。
【００６０】
図７（ｂ）に示すように、本発明を適用した配置物１の本体２に商品を収容して、陳列棚に配置すれば、地震が発生しても本体２が背面側へゆっくりと倒れるので、本体２に収容した商品が、本体２の開放された前面側から放り出されにくくなり、よって床面に商品が散乱しにくくなって、避難経路を確保しやすくなる。
【００６１】
ここで、本発明の配置物が、本体が倒れる方向への本体の運動に与える抵抗力よりも小さい抵抗力を、本体が起き上がる方向への本体の運動に与えるダンパー部を備えていれば、本体は、必ずしも図１に示すような棚でなくてもよく、例えば、冷蔵庫やコンピュータサーバであってもよい。
【００６２】
また、本発明の配置物が、本体が倒れる方向への本体の運動に与える抵抗力よりも小さい抵抗力を、本体が起き上がる方向への本体の運動に与えるダンパー部を備えていれば、必ずしも接続体と後輪の両方がダンパー部を有していなくてもよく、例えば、接続体のみがダンパー部（スライド用ダンパー部）を有していてもよいし、また、後輪のみがダンパー部（回転用ダンパー部）を有していてもよい。
【００６３】
また、本発明の配置物の本体が倒れる方向への本体の運動を促すことができれば、必ずしも前輪や後輪のような回転体でなくてもよいし、また、本発明の配置物は前輪を備えずに後輪だけを備えるようにしてもよいし、また、前輪の代わりに脚部などを備えるようにしてもよい。
【００６４】
また、本発明の配置物が、本体が倒れる方向への本体の運動に与える抵抗力よりも小さい抵抗力を、本体が起き上がる方向への本体の運動に与えるダンパー部を備えていれば、必ずしも本発明の配置物は、所定の力が本体に加えられた場合に鉛直部材から遠ざかる方向への回転体の回転を開始させる、若しくは、所定の力が本体に加えられた場合に第１の水平方向への本体の下方側端部の移動を開始させる制御部材を備えていなくてもよい。
【００６５】
しかし、このような制御部材があれば、例えば本体が本棚であり、使用者が本の出し入れなどで本体に力を加えても回転体は回転しないので日常生活に支障はなく、一方、地震発生時には、本体はゆっくりと倒れることができるので好ましい。
【００６６】
また、本発明の配置物が、本体が倒れる方向への本体の運動に与える抵抗力よりも小さい抵抗力を、本体が起き上がる方向への本体の運動に与えるダンパー部を備えていれば、必ずしも本発明の配置物は、本体の側面に沿って配置されると共に本体を収容する空間を形成する側壁部材を備えていなくてもよい。
【００６７】
しかし、このような側壁部材があれば、本体の側面に対して直接、力が加えられにくくなると共に、本体が側面方向に倒れることを抑制できるので好ましい。
【００６８】
また、本発明の配置物が、本体が倒れる方向への本体の運動に与える抵抗力よりも小さい抵抗力を、本体が起き上がる方向への本体の運動に与えるダンパー部を備えていれば、必ずしも本発明の配置物は、鉛直部材に沿って配置されると共に、鉛直部材の一部と接続体の一部とを囲む空間を形成するガイド部材を備えていなくてもよい。
【００６９】
しかし、このようなガイド部材があれば、本体に対して鉛直部材を横切るように水平方向の力が加わっても、接続体が鉛直部材から外れにくいので好ましい。特に、側壁部材がないときには、本体の側面に対して直接力が加えられやすく、その結果、接続体に横から力が加えられた状態になっても、接続体が鉛直部材から外れにくいので好ましい。
【００７０】
また、接続体は、本体の上方側端部のうち左右側板付近にそれぞれ取付けられているが、本体の上方側端部であれば、略中央領域に１つ取付けられてもよい。
【００７１】
また、本発明の配置物が、本体が倒れる方向への本体の運動に与える抵抗力よりも小さい抵抗力を、本体が起き上がる方向への本体の運動に与えるダンパー部を備えていれば、本発明の配置物は、本体が倒れ始めたときに、自動的に本体の開放した前面側を遮蔽する蓋部を備えるものとすることができる。
【００７２】
以上のように、本発明を適用した配置物は、本体が倒れる方向への本体の運動に与える抵抗力よりも小さい抵抗力を、本体が起き上がる方向への本体の運動に与えるダンパー部を備えるので、すなわち、略鉛直に配置される鉛直部材にスライド可能に取付けられると共に本体の上方側端部に回動可能に取付けられ、さらに鉛直部材に沿った略鉛直下方へのスライドに与える抵抗力よりも小さい抵抗力を、鉛直部材に沿った略鉛直上方へのスライドに与えるスライド用ダンパー部を有する接続体、若しくは、本体の下方側端部に取付けられると共に本体の下方側端部が鉛直部材から遠ざかる方向へ移動するときの回転に与える抵抗力よりも小さい抵抗力を、本体の下方側端部が鉛直部材に近づく方向へ移動するときの回転に与える回転用ダンパー部を有する回転体を備えるので、本体は一定方向すなわち背面板側へゆっくりと倒れることができると共に、大きな力を要さず本体を起こすことができる。
【００７３】
従って、本発明を適用した配置物は、地震が発生しても本体が一定方向すなわち背面板側へゆっくりと倒れるので、本体に収容した本などの物品が本体の開放された前面側から放り出されにくくなり、また、本体自体も傷つきにくくなり、地震による被害を最小限に抑えることができる。
【００７４】
特に、本発明を適用した配置物の背面を壁面に沿わせて倒すようにすることで、人が配置物に挟まれる危険性がない。
【００７５】
また、接続体は、回動軸部を介して本体と接続されているので、本体が傾いても接続体が回動して鉛直部材との接続を維持したまま、接続体が鉛直部材に沿ってスライドすることができる。
【００７６】
また、本発明を適用した配置物は、本体の下方側端部に取付けられた後輪（回転体）を備えるので、本体を倒したり、起こしたりしやすい。
【００７７】
また、本発明を適用した配置物は、所定の力が本体に加えられた場合に第１の水平方向（鉛直部材から遠ざかる方向）への本体の下方側端部の移動（回転体の回転）を開始させる制御部材を備えるので、本体が本棚であり、使用者が本の出し入れなどで本体に力を加えても回転体は回転しないので日常生活に支障はなく、一方、地震発生時には、本体はゆっくりと倒れることができる。
【００７８】
また、接続体のＬ字形アームが鉛直部材に嵌合しているので、接続体が鉛直部材から外れにくくなり、よって、本体が前面側へ倒れにくい。
【符号の説明】
【００７９】
１    配置物
２    本体
２Ａ  天板
２Ｂ  背面板
２Ｃ  底板
２Ｄ  左側板
２Ｅ  右側板
２Ｆ  棚板
３    接続体
３Ａ  Ｌ字形アーム
４    前輪
５    後輪
６    鉛直部材
７    側壁部材
８    壁
９    倒れる方向
１０    起き上がる方向
１１    ラック
１２    ロータリーダンパー
１２Ａ  歯
１３    回動軸部
１４    ガイド部材
１５    制御台
１５Ａ  溝
１６    ディスクダンパー
１７    中実タイヤ
１７Ａ  軸部
【図１】
0005859380.tif 000002
【図２】
0005859380.tif 000003
【図３】
0005859380.tif 000004
【図４】
0005859380.tif 000005
【図５】
0005859380.tif 000006
【図６】
0005859380.tif 000007
【図７】
0005859380.tif 000008
【図８】
0005859380.tif 000009